(57)【要約】      （修正有）【課題】軒樋の前側壁面に化粧カバー材を取り付けて装飾する構造において、簡易な作業で軒樋外面に化粧カバー材を取り付けることができ、様々な外観デザインの軒先にフレキシブルに対応できるようにする。【解決手段】内吊り金具２に軒樋１を取り付けた後、内吊り金具２の上面にカバー材支持具４の一端を固定して当該支持具を軒樋１の前側壁面を乗り越えて軒樋前方へ張り出させる。このカバー材支持具４に化粧カバー材３を被せ、互いに重なり合い両部材の上面部を留めネジにより固定し、軒樋１の前方を化粧カバー材４で覆って軒先を装飾する。【選択図】図１
2006233536.tif 000002
【特許請求の範囲】
【請求項１】
軒樋の前側壁面に化粧カバー材を取り付けて装飾する構造において、
軒樋を内側から支持する内吊り金具にカバー材支持具の一端を固定して当該支持具を軒樋の前側壁面を乗り越えて軒樋前方へ張り出させ、このカバー材支持具の上部に化粧カバー材が留めネジで固定されて取り付けられることを特徴とする軒樋の装飾構造。
【請求項２】
化粧カバー材と軒樋の前側壁面との間に押圧板を挟み入れて化粧カバー材の裏面に接合させたことを特徴とする請求項１に記載の軒樋の装飾構造。
【発明の詳細な説明】
【技術分野】
【０００１】
本発明は、軒樋の前側壁面に化粧カバー材を一体に取り付けて軒先を装飾する構造に関する。
【背景技術】
【０００２】
家屋の軒先廻りの造作において、図８に示されるように、軒樋１００の前側壁面に表面が凹凸した化粧カバー材１０１を取り付けて、軒先を筋状の凹凸が表出した外観デザインのものに装飾したり、或いは図９に示されるように、軒樋１１０の周囲を化粧カバー材１１１で覆って、軒先を見上げたときに軒樋１１０が見ないようにし、軒先を一体性のある外観デザインのものに装飾したりすることが行われている（例えば特許文献１、２参照）。
【０００３】
【特許文献１】特開２００２−３７１６８１号公報
【特許文献２】特開２００２−１３２６３号公報
【発明の開示】
【発明が解決しようとする課題】
【０００４】
図示した装飾構造のうち前者においては、同じ軒樋１００に形状の異なる化粧カバー材１０１を取り付けることで、軒先の外観デザインが全く異なる構成のものとなり、様々な装飾外観に構成される軒先に軒樋１００を共用できる利点がある。しかし、この構造では、軒樋１００と化粧カバー材１０１の連結部分が、化粧カバー材１０１の係止片１０１ａを軒樋１００の係止突起１００ａに係合させてあるだけなので、化粧カバー材１０１の固定が十分でなく、軒樋１００から外れやすいという問題がある。この場合、両部材の係合部分をネジ留めすると、軒先を見上げたときに係合部の表面に露出するネジ頭が目について見た目が悪くなってしまう。
後者においては、軒樋１１０が軒下から全く目につかず、軒先を一体性の有る外観デザインのものに収めることができる。しかし、この構造では、軒先を見上げたときに化粧カバー材１１１を軒樋支持具１１２に固定するネジ１１３が目立ち、また、化粧カバー材１１１で軒樋支持具１１２と鼻隠し板１１４を含む軒先全体を幅広く覆う構成となっているため、化粧カバー材１１１の成形コストが高くなるという問題がある。さらに、化粧カバー材１１１の端部を鼻隠し板１１４に覆い被せて軒先を収めているため、鼻隠し板１１４の取り付けと化粧カバー材１１１の取り付けを同時に平行して行わなければならず、取り付ける工程が面倒であり、作業工数もかかってしまう。図示した幅広な化粧カバー材１１１を用いたのでは、軒先の外観デザインの変更に対して柔軟に且つコストをかけないで対応することができない。
【０００５】
本発明は従来技術の有するこのような問題点に鑑み、簡易な作業で軒樋外面に化粧カバー材を取り付けて、軒先廻りを装飾した外観のものに収めることができ、様々な外観デザインの軒先にフレキシブルに対応できるようにすることを課題とする。
【課題を解決するための手段】
【０００６】
前記課題を解決するため本発明は、軒樋の前側壁面に化粧カバー材を取り付けて装飾する構造において、軒樋を内側から支持する内吊り金具の上面にカバー材支持具の一端を固定して当該支持具を軒樋の前側壁面を乗り越えて軒樋前方へ張り出させ、このカバー材支持具の上部に化粧カバー材が留めネジにより固定されて取り付けられることを特徴としている。
【０００７】
本発明の装飾構造において軒先廻りの施工は、先ず、軒に沿って水切り板と鼻隠し板を取り付け、鼻隠し板の表面に軒樋を支持する内吊り金具を固定する。次いで、内吊り金具に設けられた樋係止部に軒樋の前側壁面と後側壁面の縁部をそれぞれ係合させて軒樋を内吊り金具で支持させる。軒樋を取り付けたならば、各内吊り金具の上面にカバー材支持具の端部を留めネジで固定し、カバー材支持具の他端部側を軒樋の前側壁面を乗り越えて軒樋前方へ張り出させる。そして、軒樋前方に張り出したカバー材支持具の上面に化粧カバー材を被せて装着し、カバー材支持具の上面重なり部に留めネジを螺子入れて装着した化粧カバー材を一体に固定することにより軒先廻りの施工が完了し、軒先は化粧カバーで装飾された外観のものとなる。
【０００８】
これによれば、内吊り金具で軒樋を支持しているので、軒下からは内吊り金具が見えず、また、化粧カバー材はカバー材支持具の上部でネジ留めされているので、当該留めネジが軒下から目につくこともなく、軒先をすっきりとした綺麗な外観のものに収めることができる。内吊り金具が軒下に露出してはいないので、金具が見えないように軒樋の下方を化粧カバー材で覆う必要はなく、例えば化粧カバー材を軒樋の前側壁面の下端部に接合するように取り付けるなどして、短尺の化粧カバー材を用いて、軒先を軒樋と一体性の有る外観のものに収めることができる。
また、カバー材支持具と化粧カバー材の取り付けは、軒樋や鼻隠し板の取り付け作業とは別に行われ、これら部材の取り付けは軒樋を取り付けた後で順次行うことができるので、軒先廻りの施工を簡易且つ効率的に行うことが可能となる。また、軒樋が取り付けられているだけの既設の軒先であっても、軒樋が内吊り金具で支持されていれば、後工事で化粧カバー材を取り付けて装飾を施すことが可能であり、また、形状の異なる化粧カバー材を選択的に用いて、軒先を様々な外観デザインのものに収めることができる。
【０００９】
化粧カバー材は、裏面にカバー材支持具の上面が接合して支持されるが、カバー材支持具同士の設置間隔が大きい場合に、両支持具の間の部分の化粧カバー材表面が撓んで凹凸や波打ちが生じることがある。また、化粧カバー材で出隅を構成する場合に、化粧カバー材同士が突き合うコーナ部で応力が集中するため、化粧カバー材を補強する必要がある。そこで、本発明では、化粧カバー材と軒樋の前側壁面との間に押圧板を挟み入れ、押圧板を化粧カバー材の裏面に介在させて、化粧カバー材を軒樋で支持することによって、凹凸などの変形が生じないようにしている。押圧板は、カバー材支持具同士の間の部分など、補強が必要な化粧カバー材の適宜な位置に設置可能である。
【発明を実施するための最良の形態】
【００１０】
本発明の好適な一実施形態を図面を参照して説明する。
図１は本発明により外観を装飾した軒先の一実施形態の断面図、図２は同形態で用いた化粧カバー材の斜視図と側面図、図３は同形態で用いたカバー材支持具の斜視図と縦断面図、図４は図１の化粧カバー材を用いて外観を装飾した出隅の上面図、図５は図４の出隅の構成部材展開図と組み付け図、図６は押圧板の一実施形態の斜視図と側面図、図７は図６の押圧部材を設置した状態の軒樋及び化粧カバー材の断面図である。
【００１１】
図示した形態は、断面略U字形に屈曲した軒樋１を内吊り金具２で支持するとともに、化粧カバー材３が装着されるカバー材支持具４を各内吊り金具２に固定し、このカバー材支持具４に化粧カバー材３を装着することにより、化粧カバー材３で軒樋１の前側壁面１２の全体を覆って軒先を装飾したものである。なお、図１中、符号５は水切り板、６は鼻隠し板である。
【００１２】
軒樋１は、底面１１の両側に凹段部１１ａ、１１ａを介して前側壁面１２と後側壁面１３を平行に立ち上げて形成されており、両壁面１２、１３の上部にそれぞれ壁面縁部を鉤状に内方へ屈曲させた折返部１２ａ、１３ａを設けてある。
【００１３】
内吊り金具２は、軒樋１の折返し部１２ａ、１３ａに係合する係止部２１ａ、２１ｂを両端に有する樋支持片２１を、Ｌ字形に屈曲した固定片２２の一面にビス２３により一体に固着して構成されており、固定片２２の他面を鼻隠しの表面に取り付けた状態で、樋支持片２１が軒の外側へ水平に張り出すように設けてある。
そして、鼻隠し板６に沿って複数の内吊り金具２を所定の間隔を開けて取り付けた状態で、軒樋１を内吊り金具２、２間に架け渡し、その折返部１２ａの内側に樋支持片２１の係止部２１ａを、折返部１３ａの外側に係止部２１ｂをそれぞれ係合させて、樋支持片２１の両端に軒樋１を装着することにより、内吊り金具２で支持された軒樋１が鼻隠しに沿って取り付けられるようになっている。なお、樋支持片２１の面内には、後述するカバー材支持具４の端部が係入する開口２１ｄとボルト７Ａが挿通する通孔２１ｃを形成してある（図７参照）。
【００１４】
化粧カバー材３は、長尺な矩形鋼板をその長手方向に平行に延びた複数の折れ線に沿って折り曲げてなり、軒先に取り付けた状態で、軒樋１の前側壁面１２の上方から側方に亘る全体を覆い隠す大きさに形成されている。
詳しくは、図２に示されるように、化粧カバー材３は、その側面部３２の両端に上面部３１と下面部３３を連ねるとともに、側面部３２の上半面３２ａが上面部３１から斜め下方へ、下半面３２ｂが段部３２ｃを介して下面部３３から斜め上方へそれぞれ折れ曲がって連なり、全体を略々Ｃ字形に屈曲させた形状に形成してある。また、上面部３１は側面部３２から斜め下方に折れ、その端部３１ａを下面部３３側に向けて突出させてある。下面部３３はその端部３３ａを上方へ垂直に折り曲げ、さらに縁部を斜め下方へ折り返してある。
【００１５】
カバー材支持具４は、帯状鋼板を折り曲げて、化粧カバー材３の前記各面部の裏面に沿うように屈曲した形状に形成されている。
詳しくは、図３に示されるように、カバー材支持具４は、その上面部４１と側面部４２と下面部４３とが、それぞれ化粧カバー材裏面の上面部３１と側面部３２の上半面３２ａと下面部３３とに重なるように折り曲げられているともに、下方に折れた上面部４１の端部４１ａに水平に延びた取付面部４４を連ね、さらに当該取付面部の先端にＬ字形に屈曲して水平に突出した細幅な係止片４５を連ねて形成してある。この係止片４５は、前記樋支持片２１の開口２１ｄ内に挿通し得る大きさに設けてある。また、上面部４１には留めネジ８が螺子入る螺子孔４１ｂが複数列設してあり、取付面部４４にはボルト７Ａが挿通する通孔４４ａを形成してある。
【００１６】
軒先廻りの造作を構成するこれらの部材は以下の手順で軒先に取り付けられる。先ず、屋根の縁に沿って水切り板５を取り付け、また、鼻隠しに沿って鼻隠し板６を取り付ける。
次いで、鼻隠し板６に沿って複数の内吊り金具２を所定の間隔を開けて固定し、固定された内吊り金具２、２間に軒樋１を架け渡し、軒樋１の両折返部１２ａ、１３ａを内吊り金具２の樋支持片２１の両側係止部２１ａ、２１ｂに係合させて、軒樋１を内吊り金具２に支持させる。
【００１７】
軒樋１を内吊り金具２に取り付けたならば、各内吊り金具２にカバー材支持具４を取り付ける。
カバー材支持具４の取り付けは、内吊り金具２の樋支持片２１の上面に取付面部４４を重ね合わせ且つ係止片４５を樋支持片２１の開口２１ｄに差し込んで裏面側に係合させ、同心上に重なる通孔２１ｃ及び通孔４４ａ内に樋支持片２１の下側からボルト７Ａを挿通し、取付面部４４上に露出したボルト端部に蝶ナット７Ｂを締め付けることにより行われる。
内吊り金具２に取り付けられたカバー材支持具４の各面部は、上面部４１が軒樋１の前側壁面１２の上方に位置して当該壁面を乗り越え、上面部４１と連なる側面部４２が前側壁面１２の前方へ張り出し、さらに側面部４２と連なる下面部４３が水平に折れ、その端部を前側壁面下側の凹段部１１ａと僅かな隙間を開けて対向した位置に各々固定される。
【００１８】
カバー材支持具４が各内吊り金具２に取り付けられたならば、前記支持具に化粧カバー材３を装着して取り付ける。
化粧カバー材３は、カバー材支持具４、４間に架け渡して上方から被せれば、図１に示されるように、カバー材支持具４の各面部上面に化粧カバー材３の各面部裏面が重なって接合し、また、その下面部３３の端部３３ａが軒樋凹段部１１ａと前記支持具下面部４３との隙間に入り込んでカバー材支持具下面部４３の端部に係合して、カバー材支持具４の表面に装着する。カバー材支持具４の側方から化粧カバー材３の側端を押し込んで嵌め被せてもよい。
そして、化粧カバー材上面部３１上方から、前記支持具上面部４１の螺子孔４１ｂに留めネジ８を螺子入れて上面部同士を留め付ければ、化粧カバー材３がカバー材支持具４に一体に固定され、軒樋１の前側壁面１２はその全体が化粧カバー材３で覆われる。
【００１９】
カバー材支持具４に取り付けられた化粧カバー材３は、その上面部３１がカバー材支持具４の上面部４１に接合して軒樋１の前側壁面１２の上方を覆い、側面部３２が前記支持具側面部４２に接合して軒樋１の前方を覆い、下面部３３が前記支持具下面部４３に接合して当該支持具の下方を覆うとともに、軒樋１の底部１１と略面一に水平に連なって固定され、軒先は軒樋１の前方を化粧カバー材３で覆った装飾した外観デザインのものに収められる。
この場合、図１に示されるように、軒樋１、化粧カバー材３及び鼻隠し板６の各部材の下面を同じ面となるように揃えれば、軒の根元から先端、つまり鼻隠し下側から化粧カバー材３の下面先端までが表面に段部のない一体的な面に構成され、軒下をすっきりとした綺麗な外観に収めることができる。
【００２０】
化粧カバー材３を取り付けた軒先の装飾は軒の全周に亘って施すことができ、例えば図４に示されるように出隅を装飾する場合も、前記と同様に、軒樋１を支持する各内吊り金具２にカバー材支持具４を取り付け、カバー材支持具４に化粧カバー材３を被せてネジ留めして固定することにより、出隅に沿って屈曲した軒樋１の外側に化粧カバー材３を取り付けることができる。
【００２１】
この場合、軒樋１のコーナ部外側に取り付けられる化粧カバー材３は、図５に示されるように、端部をテーパ状に斜めに切り欠いた化粧カバー材３、３を出隅の両側に配し、直角に折れた継手片９Ａをコーナ部にあてがった状態で両カバー材の端部同士を突き合わせて継手片９Ａに被せ、継手片９Ａの表面に貼られた両面粘着テープ１０で継手片表面に固着することにより、コーナ部に沿って一体に継ぎ合わせることができる。
また、同図に示されるように、カバー材支持具４との連結部で化粧カバー材３、３同士を継ぎ合わせる場合、化粧カバー材３の裏面に沿って屈曲していて表面に両面粘着テープ１０が貼られた継手片９Ｂをカバー材支持具４に装着し、その上から化粧カバー材３、３を被せて継手片９Ｂの両半面にそれぞれ固着し、さらにカバー材支持具４にネジ留めして継ぎ合わせることができる。
【００２２】
また、化粧カバー材３、３で出隅を構成する場合に、コーナ部に集中する応力により、図４中の矢符Ｘ部分で化粧カバー材３の表面が撓んで凹凸が生じることがある。また、カバー材表面の撓みは、カバー材支持具４、４同士の設置間隔が大きい場合にその中間部分にも生じることがある。このような場合に、軒樋１と化粧カバー材３との間に押圧板１１を挟み入れ、化粧カバー材３を軒樋１の折返部１２ａで支持することによって、表面が撓んで凹凸が生じることを防止することができる。
押圧板１１は、適宜な幅の帯状鋼板を用い、例えば図６に示されるように、その上部１１ａが化粧カバー材３の上面部３１から側面部３２にかけて接合し、その下部１１ｂが軒樋１の折返部１２ａの上面に接合し、且つ両部材に弾発的に圧接する寸法で折り曲げて形成され、これを図７に示されるように、内吊り金具２で支持された軒樋１の折返部１２ａの上面とカバー材支持具４で支持された化粧カバー材３の上面部３１に挟み入れて設置することができる。
【００２３】
なお、図示した軒樋、内吊り金具、化粧カバー材、カバー材支持具及び押圧板の各部材の形態とその取り付け工程は一例であり、本発明は図示した形態に限定されず、他の適宜な形態で構成し、任意の手順で取り付けることが可能である。
【図面の簡単な説明】
【００２４】
【図１】本発明により外観を装飾した軒先の一実施形態の断面図である。
【図２】図１の形態で用いた化粧カバー材の斜視図と側面図である。
【図３】図１の形態で用いたカバー材支持具の斜視図と縦断面図である。
【図４】図１の化粧カバー材を用いて外観を装飾した出隅の上面図である。
【図５】（Ａ）、（Ｂ）は図４の出隅の構成部材展開図と部材組み付け図である。
【図６】押圧板の一実施形態の斜視図と側面図である。
【図７】図６の押圧部材を設置した状態の軒樋及び化粧カバー材の断面図である。
【図８】従来の化粧カバー材が装着される軒樋の断面図である。
【図９】従来の化粧カバー材で外観を装飾する軒先の断面図である。
【符号の説明】
【００２５】
１  軒樋、２  内吊り金具、３  化粧カバー材、４  カバー材支持具、５  水切り板、６  鼻隠し板、１１  押圧板
【図１】
2006233536.tif 000003
【図２】
2006233536.tif 000004
【図３】
2006233536.tif 000005
【図４】
2006233536.tif 000006
【図５】
2006233536.tif 000007
【図６】
2006233536.tif 000008
【図７】
2006233536.tif 000009
【図８】
2006233536.tif 000010
【図９】
2006233536.tif 000011